(57)【要約】      （修正有）【課題】旅先等で、所望の音楽あるいは映像を簡単に入手する。【解決手段】記録媒体販売端末装置１２において、情報受信手段１２１は、パケット単位にしてサーバー１１１から送信されて来た情報を受信した後、前記情報を復調および復合する。情報記憶手段１２２は、元の情報の形として記憶する。モニター手段は、サーバーの情報および情報記憶手段に記憶された記憶内容をモニターに表示する。決済手段１３１は、モニター手段との間で通信を行い、決済する。決済が終了した場合、前記情報記憶手段に記憶された記憶内容をＣＤＲおよび／またはＤＶＤＲに焼き付ける。【選択図】図１
2011215755.tif 000002
【特許請求の範囲】
【請求項１】
インターネットのサーバーに接続でき、前記サーバーから音楽、画像、文字情報を利用者に配信できる記録媒体販売端末装置において、
少なくとも一つのパケット単位にして前記サーバーから送信されて来た前記情報を受信する情報受信手段と、
前記情報を記憶する情報記憶手段と、
前記サーバーの情報および前記情報記憶手段に記憶された記憶内容の選択、表示および／または試聴できるモニター手段と、
前記情報記憶手段の内容に対する対価を支払う決済手段と、
前記情報記憶手段に記憶された記憶内容をＣＤＲおよび／またはＤＶＤＲに出力する出力手段と、
前記ＣＤＲおよび／またはＤＶＤＲを蓄えることができるスタッカーと、
前記情報およびモニターの制御、対価の決済、およびＣＤＲおよび／またはＤＶＤＲの焼付けと機構的制御、を行う制御手段と、
から少なくとも構成されていることを特徴とする記録媒体販売端末装置。
【請求項２】
前記モニター手段は、情報の題名および内容の一部を表示するタッチパネルからなる表示手段、および決済手段から少なくとも構成されていることを特徴とする請求項１に記載された記録媒体販売端末装置。
【請求項３】
前記情報が復調および複合されて情報記憶手段に記憶されている情報は、バッファーメモリを介してモニター手段から一部を出力することを特徴とする請求項１に記載された記録媒体販売端末装置。
【請求項４】
前記情報は、ジャケットおよび／または歌詞が含まれており、プリンターで印刷することができることを特徴とする請求項１に記載された記録媒体販売端末装置。
【請求項５】
前記決済手段による決済が終了後、バッファーメモリに接続されたＵＳＢ出力端子から情報をモニターまたは記録できることを特徴とする請求項１に記載された記録媒体販売端末装置。
【発明の詳細な説明】
【技術分野】
【０００１】
本発明は、人の出入りが多い場所、たとえば、駅の構内、コンビニエンスストアー、ドライブイン等に設置する記録媒体販売端末装置に関するものである。前記記録媒体販売端末装置は、インターネットのサーバーに接続でき、前記サーバーから音楽、映像、文字情報を利用者にパケットデータとして配信し、電車、自動車、飛行機等の乗り物内、および自宅で楽しむことができるものである。
【背景技術】
【０００２】
特開２００４−１７７８０８号公報における「楽曲販売支援システム」は、アーティストとＣＤ製造販売会社、および一般の購入者が役割分担する形で行動し、全体をインターネットでまとめたＣＤ製作と音楽配信・販売システムを構築している。
【先行技術文献】
【特許文献】
【０００３】
【特許文献１】特開２００４−１７７８０８号公報
【発明の概要】
【発明が解決しようとする課題】
【０００４】
前記公報の「楽曲販売支援システム」は、インターネットでまとめたＣＤ作製と音楽配信・販売を容易にするものである。しかし、前記「楽曲販売支援システム」は、旅行、出張等に行く際に、電車または自動車内で聞きたいあるいは見たいと思っても、簡単に手に入るものではない。特に、出張者あるいは旅行者は、旅先等で、時間に余裕が出たとしても、所望の音楽あるいは映像を簡単に入手するこが困難であった。
【０００５】
以上のような課題を解決するために、本発明は、駅の構内、ドライブイン、あるいはコンビニエンスストアー、空港等に設置することにより、記録媒体に音楽あるいは映像等をダウンロードしている間に、弁当、あるいはお土産等を購入することができる記録媒体販売端末装置を提供することを目的とする。また、本発明は、所望の音楽または映像等をダウンロードして、自分の所有している再生機（自動車内あるいはホテル備え付きの）により、車内等で楽しむことができる記録媒体販売端末装置を提供することを目的とする。
【課題を解決するための手段】
【０００６】
（第１発明）
第１発明の記録媒体販売端末装置は、インターネットのサーバーに接続でき、前記サーバーから音楽、画像、文字情報を利用者に配信できるものであり、少なくとも一つのパケット単位にして前記サーバーから送信されて来た前記情報を受信する情報受信手段と、前記情報を記憶する情報記憶手段と、前記サーバーの情報および前記情報記憶手段に記憶された記憶内容の選択、表示および／または試聴できるモニター手段と、前記情報記憶手段の内容に対する対価を支払う決済手段と、前記情報記憶手段に記憶された記憶内容をＣＤＲおよび／またはＤＶＤＲに出力する出力手段と、前記ＣＤＲおよび／またはＤＶＤＲを蓄えることができるスタッカーと、前記情報およびモニターの制御、対価の決済、およびＣＤＲおよび／またはＤＶＤＲの焼付けと機構的制御、を行う制御手段とから少なくとも構成されていることを特徴とする。
【０００７】
（第２発明）
第２発明の記録媒体販売端末装置において、前記モニター手段は、情報の題名および内容の一部を表示するタッチパネルからなる表示手段、および決済手段から少なくとも構成されていることを特徴とする。
【０００８】
（第３発明）
第３発明の記録媒体販売端末装置において、前記情報が復調および複合されて情報記憶手段に記憶されている情報は、バッファーメモリを介してモニター手段から一部を出力することを特徴とする。
【０００９】
（第４発明）
第４発明の記録媒体販売端末装置において、前記情報は、ジャケットおよび／または歌詞が含まれており、プリンターで印刷することができることを特徴とする。
【００１０】
（第５発明）
第５発明の記録媒体販売端末装置において、前記決済手段による決済が終了後、バッファーメモリに接続されたＵＳＢ出力端子から情報をモニターまたは記録できることを特徴とする。
【発明の効果】
【００１１】
本発明によれば、人の出入りの激しい場所に記録媒体販売端末装置を設置することにより、多くの利用者がＣＤＲおよび／またはＤＶＤＲを簡単に、かつ、手っとり早く購入することができる。
【００１２】
本発明によれば、サーバーに接続された記録媒体販売端末装置に予めＣＤＲおよび／またはＤＶＤＲを多数貯えておくことにより、所望の音楽や映像ををダウンロードして、自分の再生機により楽しむことができる。
【００１３】
本発明によれば、インターネットへの接続、タッチパネル付きパーソナルコンピュータ、ＣＤＲおよび／またはＤＶＤＲへのダウンロード制御部、前記ＣＤＲおよび／またはＤＶＤＲの出し入れ等の機構部を設けるだけで安価な記録媒体販売端末装置とすることができる。
【図面の簡単な説明】
【００１４】
【図１】本発明の実施例であり、サーバー装置および記録媒体販売端末装置を説明するための図である。（実施例１）
【図２】本発明の実施例であり、記録媒体販売端末装置における一例のフローチャートである。
【図３】本発明の実施例であり、ＣＤＲおよび／またはＤＶＤＲとともに、ジャケットおよび／または歌詞を印刷する場合のフローチャートである。
【発明を実施するための形態】
【００１５】
（第１発明）
第１発明の記録媒体販売端末装置は、人の出入りが多い場所、たとえば、駅の構内、コンビニエンスストアー、ドライブイン等に設置するとともに、インターネットのサーバーに接続でき、前記サーバーから音楽、映像、文字情報を利用者にパケットデータとして配信するものである。利用者は、電車および自動車等の内部で、あるいは自宅に戻ってから音楽、映像、文字情報を楽しむことができる。前記記録媒体販売端末装置は、情報受信手段、情報記憶手段、モニター手段、決済手段、ＣＤＲおよび／またはＤＶＤＲに出力する出力手段、ＣＤＲおよび／またはＤＶＤＲのスタッカー、およびこれらを制御する制御手段とから少なくとも構成されている。
【００１６】
前記情報受信手段は、たとえば、一つの音楽を複数のパケット単位にして前記サーバーから送信されて来た前記情報を受信した後、前記情報を復調および復合する。前記情報記憶手段は、元の情報の形として記憶される。前記復合した情報は、必要に応じて、一部を再生し、所望の情報が受信されているか否かを確認することができる。前記モニター手段は、前記サーバーの情報および前記情報記憶手段に記憶された記憶内容をモニターに表示するとともに、所望の情報を選択し、あるいは、表示および／または試聴することができる。
【００１７】
前記決済手段は、たとえば、非接触型電子マネーであり、前記モニター手段との間で通信を行い、決済することができる通信手段を備えている。利用者は、所望の情報であることを確認後に、前記情報記憶手段の内容に対する対価を支払うことができる。前記出力手段は、電子マネーの決済が終了した場合、前記情報記憶手段に記憶された記憶内容をＣＤＲおよび／またはＤＶＤＲに焼き付けることができる。前記スタッカーは、前記ＣＤＲおよび／またはＤＶＤＲを多数個機械的に蓄えることができるとともに、前記ＣＤＲおよび／またはＤＶＤＲの焼き付けが終了した後、外部に出力し、新しいものと交換する。前記制御手段は、前記情報およびモニターの制御、電子マネーの決済、およびＣＤＲおよび／またはＤＶＤＲの機構的制御を行うことができる。
【００１８】
本発明の記録媒体販売端末装置は、駅構内、ドライブイン等、人の出入りが多い場所に設置されているため、音楽、映像、および文字情報を簡単にＣＤＲおよび／またはＤＶＤＲ等に記憶して、電車または車に乗っている間に、その内容を楽しむことができる。また、前記記録媒体販売端末装置は、インターネット回線に接続するだけで、情報を得るとともに、支払いも同時に済ませることができる。利用者は、たとえば、ＣＤＲおよび／またはＤＶＤＲの録音および／または録画中に、お弁当やお土産等を購入することができる。
【００１９】
（第２発明）
第２発明の記録媒体販売端末装置において、前記モニター手段は、表示手段、決済手段、音情報を聞く手段とから少なくとも構成されている。前記表示手段は、所望の情報の題名を表示するタッチパネルからなり、表示された部分を指等で接触することにより選択される。前記決済手段は、たとえば、非接触型電子マネーであり、前記タッチパネルに接近させるだけで、所望の情報に対する対価を支払うことができる。前記音情報を聞く手段は、たとえば、イヤホンまたはヘッドホン等からなり、音情報が所望のものであるか否かを確認することができる。
【００２０】
（第３発明）
第３発明の記録媒体販売端末装置において、パケットとして送信されたデータは、復調および復合されて情報記憶手段に記憶される。前記情報記憶手段に記憶された一部の情報は、バッファーメモリに一端記憶された後、モニター手段から出力させることができる。
【００２１】
（第４発明）
第４発明の記録媒体販売端末装置において、情報は、ジャケットおよび／または歌詞である。前記ジャケットおよび／または歌詞は、モニター手段に表示された後、所望により、プリンターで印刷することができる。前記ジャケットは、ＣＤＲおよび／またはＤＶＤＲの表面に貼り付ける。また、前記歌詞は、楽譜とともに印刷されるため、短い時間に覚えることができる。
【００２２】
（第５発明）
第５発明の記録媒体販売端末装置において、利用者は、決済手段によって、決済を終了させる。前記利用者は、決済後、バッファーメモリに接続されたＵＳＢ出力端子から情報をモニターすることができるとともに、必要に応じて、自分の記録媒体に記録することができる。
【実施例１】
【００２３】
図１は本発明の実施例であり、サーバー装置および記録媒体販売端末装置を説明するための図である。図１において、本発明は、サーバー端末装置１１と、インターネット回線（図示されていない）と、記録媒体販売端末装置１２とから少なくとも構成されている。サーバー端末装置１１は、音楽あるいは映像等をデータファイルとして蓄積できるサーバー１１１と、前記サーバー１１１に記憶されているデータファイルをパケットとして送信できるようにするパケット通信装置１１２とから少なくとも構成されている。前記パケット通信装置１１２は、通常のパケット通信を行う手段を備えている。
【００２４】
前記記録媒体販売端末装置１２は、インターネットに接続するネット接続用コネクタ１２０と、前記パケットを受信する情報受信装置１２１と、前記情報受信装置１２１で受信した内容を記憶する情報記憶手段１２２と、前記情報を一時的に記憶するバッファーメモリ１２３と、ＣＤＲ記録手段および／またはＤＶＤＲ記録手段１２４と、前記ＣＤＲ記録手段および／またはＤＶＤＲ記録手段１２４に記録された内容を出力するＣＤＲ出力手段および／またはＤＶＤＲ出力手段１２５と、前記ＣＤＲ記録手段および／またはＤＶＤＲ記録手段１２４の内容を試聴または試視できる試聴手段１２６と、前記ＣＤＲおよび／またはＤＶＤＲを多数貯えておくことができるＣＤＲスタックおよび／またはＤＶＤＲスタック１２７と、前記記録媒体販売端末装置１２の全体を制御するＣＰＵ１２８と、各情報を表示できるディスプレイ（モニター手段）１２９と、決済手段（たとえば、非接触型電子マネー読取装置）１３１と、たとえば、ジャケットおよび／または歌詞を印刷するプリンター１３２と、情報を出力または一時確認するＵＳＢコネクタ１３３とから少なくとも構成されている。
【００２５】
前記記録媒体販売端末装置１２は、人の出入りが多い駅の構内、空港、コンビニエンスストアーの出入口、ドライブイン等、人目に付きやすい場所に設置される。また、前記記録媒体販売端末装置１２は、通常の手段により、インターネットのサーバーに接続でき、前記サーバー１１１に蓄積された音楽、画像、文字情報を利用者にパケット通信装置１１２からパケットデータとして配信することができるようになっている。
【００２６】
前記記録媒体販売端末装置１２は、インターネット回線に接続され、人の目に付きやすい場所に設置されている。利用者は、人目に付き易い場所に設置されている前記記録媒体販売端末装置１２を見ることにより、音楽、映像、文字情報が欲しくなり、ＣＤＲおよび／またはＤＶＤＲを購入し、電車および自動車等の内部で、あるいは自宅に戻ってから楽しむことになる。前記記録媒体販売端末装置１２は、図示されていない制御手段により、情報受信手段１２１、情報記憶手段１２２、ディスプレイ（モニター手段）１２９、決済手段１３１、ＣＤＲおよび／またはＤＶＤＲに出力する出力手段１２５、ＣＤＲおよび／またはＤＶＤＲのスタッカー１２７等を制御する。
【００２７】
前記情報受信手段１２１は、たとえば、一つの音楽を複数のパケット単位にして前記サーバー１１１から送信されて来た前記情報を受信した後、前記情報を復調および復合して、音楽、映像、文字等の情報に戻す。前記情報記憶手段１２２は、直接見聞きできる情報として記憶される。前記情報は、必要に応じて、一部を再生し、所望の情報が受信されているか否かを確認することができる。前記ディスプレイ１２９は、前記サーバー１１１の情報および前記情報記憶手段１２２に記憶された記憶内容をバッファーメモリ１２３を介して、モニターとして表示するとともに、所望の情報を選択し、あるいは、表示および／または試聴（試視）することができる。
【００２８】
前記決済手段１３１は、たとえば、非接触型電子マネーであり、前記ディスプレイ１２９との間で通信を行い、決済することができる通信手段を備えている。前記決済手段１３１は、前記非接触型電子マネー以外のオンライン決済手段を使用することができる。利用者は、ディスプレイ１２９に表示された内容を見て、所望の情報であることを確認した後に、前記情報記憶手段１２２の内容に対する対価を支払うことができる。
【００２９】
前記ＣＤＲ出力手段および／またはＤＶＤＲ出力手段１２５は、電子マネーの決済が終了した場合、前記情報記憶手段１２２に記憶された記憶内容をＣＤＲおよび／またはＤＶＤＲに焼き付けることができる。前記スタッカー１２７は、前記ＣＤＲおよび／またはＤＶＤＲを多数個機械的に予め蓄えておくことができるとともに、前記ＣＤＲおよび／またはＤＶＤＲの焼き付けが終了した後、外部に出力し、新しいものと交換し次の準備をする。前記制御手段（ＣＰＵ１２８）は、前記情報およびモニターの制御、電子マネーの決済、およびＣＤＲおよび／またはＤＶＤＲの機構的制御を行うことができる。
【００３０】
本発明の記録媒体販売端末装置１２は、空港、駅構内、ドライブイン等、人の出入りが多い場所に設置されているため、飛行機、電車または車に乗っている間に、音楽、映像、および文字情報を簡単にＣＤＲおよび／またはＤＶＤＲ等に記憶して、その内容を楽しむことができる。また、前記記録媒体販売端末装置１２は、ネット接続用コネクタ１２０によってインターネット回線に接続するだけで、情報を得るとともに、支払いも同時に済ませることができる。利用者は、たとえば、ＣＤＲおよび／またはＤＶＤＲの録音および／または録画中に、お弁当やお土産等を購入することができる。
【００３１】
前記記録媒体販売端末装置１２におけるディスプレイ手段１２９は、表示手段（モニター手段）、決済手段１３１、および音情報出力手段とすることができる。前記ディスプレイ手段１２９は、少なくとも所望の情報の題名を表示するタッチパネルからなり、表示された部分を指等で接触することにより前記題名等が選択される。
【００３２】
前記決済手段１３１は、たとえば、非接触型電子マネーであり、前記タッチパネルに接近させるだけで、所望の情報に対する対価をオンラインによって支払うことができる。前記音情報を聞く手段は、たとえば、イヤホンまたはヘッドホン等からなり、音情報が所望のものであるか否かを確認することができる。また、前記音情報は、ＵＳＢコネクタから出力させることもできるが、決済が済んだ後に接続するか、あるいは一部のデータのみにしてた、不正コピーを避ける必要がある。
【００３３】
バッファーメモリ１２３は、記録媒体販売端末装置１２における情報受信記憶手段１２２に記憶されている情報を一時蓄えることができ、この情報をモニターすることもできる。すなわち、パケットとして送信された情報は、復調および復合された後、前記情報記憶手段１２２に記憶される。前記情報記憶手段１２２に記憶された一部の情報は、バッファーメモリ１２３に一旦、記憶された後、ディスプレイ１２９またはＵＳＢコネクタ１３３から出力させることもできる。
【００３４】
前記記録媒体販売端末装置１２において、情報は、ジャケットおよび／または歌詞とすることもできる。前記ジャケットおよび／または歌詞は、ディスプレイ１２９に表示された後、所望により、プリンター１３２によって、印刷することもできる。前記ジャケットは、購入したＣＤＲおよび／またはＤＶＤＲの表面に貼り付けることができる。また、前記歌詞は、楽譜とともに印刷されるため、短い時間（たとえば、車内等）に覚えることができる。
【００３５】
図２は本発明の実施例であり、記録媒体販売端末装置における一例のフローチャートである。図２において、ユーザーは、前記記録媒体販売端末装置を始動状態にする（ステップ２１１）。ユーザーは、ディスプレイを見て、所望のサーバーを選択する（ステップ２１２）。ユーザーは、所望のサーバーがない場合、処理を終了する（ステップ２１３）。ユーザーは、所望のサーバーがある場合、前記サーバーに接続する（ステップ２１４）。
【００３６】
ユーザは、接続されたサーバーに所望の曲（映像等）があるか否かを調べる（ステップ２１５）。ユーザは、接続されたサーバーに所望の曲（映像等）がないと判断した場合、処理を終了する（ステップ２１３）。ユーザは、接続されたサーバーに所望の曲（映像）があると判断した場合、所望の曲（映像）の題名を指定する（ステップ２１６）。前記曲（映像）は、ユーザーのダウンロードにより、メモリに記憶される（ステップ２１７）。
【００３７】
ディスプレイには、曲（映像）を試聴（試視）するか否かの問い合わせがある（ステップ２１８）。ユーザーは、ディスプレイを見て、曲（映像）を試聴（試視）しない場合、試聴（試視）モードにする（ステップ２１９）。ユーザーは、ディスプレイ見て、あるいは試聴（試視）して、他の曲（映像）に変える必要があるか否かを判断する（ステップ２２０）。ユーザーは、曲（映像）を変える必要がある場合、ステップ２１６によって、指定をし直す。
【００３８】
ユーザーは、所望の曲（映像）が決まった場合、ダウンロードして、メモリに内容を記憶する（ステップ２１７）。ユーザーは、前記メモリに記憶された曲（映像）を購入するか否かを決定する（ステップ２２１）。ユーザーは、前記曲（映像）を購入しない場合、ステップ２１６に戻る。ユーザーは、前記曲（映像）を購入する場合、代金の支払いを、たとえば、電子マネーによって行う（ステップ２２２）。ユーザーは、代金の支払いが終了したか否かを確認する（ステップ２２３）。支払いが確認されない場合、前のステップに戻る。
【００３９】
ユーザーは、代金の支払いが終了したことを確認した場合、前記選択した曲（映像）の代金を支払い、前記曲（映像）をＣＤＲおよび／またはＤＶＤＲ等に焼き付け、出力ボタン（図示されていない）を押して商品を得る（ステップ２２４、ステップ２２５）。
【００４０】
図３は本発明の実施例であり、ＣＤＲおよび／またはＤＶＤＲとともに、ジャケットおよび／または歌詞を印刷する場合のフローチャートである。図３において、ユーザーは、前記記録媒体販売端末装置を始動状態にする（ステップ３１１）。ユーザーは、ディスプレイを見て、所望のサーバーを選択する（ステップ３１２）。ユーザーは、所望のサーバーがない場合、処理を終了する（ステップ３１３）。ユーザーは、所望のサーバーがある場合、前記サーバーに接続する（ステップ３１４）。
【００４１】
ユーザは、接続されたサーバーに所望のジャケットがあるか否かを調べる（ステップ３１５）。ユーザは、接続されたサーバーに所望のジャケットがないと判断した場合、所望の歌詞があるか否か探す（ステップ３１６）。ユーザは、接続されたサーバーに所望のジャケットおよび／または歌詞があると判断した場合、所望のジャケットおよび／または歌詞の題名を指定する（ステップ３１７）。また、ユーザーは、前記ジャケットと歌詞を同時に指定できるようにすることもできる。前記ジャケットおよび／または歌詞は、ユーザーのダウンロードにより、メモリに記憶される（ステップ３１８）。
【００４２】
ディスプレイには、ジャケットおよび／または歌詞を表示するか否かの問い合わせがある（ステップ３２３）。ユーザーは、ディスプレイを見て、ジャケットおよび／または歌詞を表示するモードにする（ステップ３２４）。ユーザーは、ディスプレイ見て、他のジャケットまたは歌詞に変える必要があるか否かを判断する（ステップ３２５）。ユーザーは、ジャケットおよび／または歌詞を変える必要がある場合、ステップ３１７によって、指定をし直す。
【００４３】
ユーザーは、所望のジャケットおよび／または歌詞を購入するための手続きをとる（ステップ３１９）。ユーザーは、前記メモリにダウンロードされたジャケットおよび／または歌詞を購入しない場合、ステップ３１７に戻す。ユーザーは、前記ジャケットおよび／または歌詞を購入する場合、代金の支払いを、たとえば、電子マネーによって行う（ステップ３２０）。ユーザーは、代金の支払いが終了したか否かを確認する（ステップ３２１）。支払いが確認されない場合、前のステップに戻る。
【００４４】
ユーザーは、代金の支払いが終了したことを確認した場合、前記ジャケットおよび／または歌詞が出力ボタン（図示されていない）を押すことにより、プリントアウトされる（ステップ３２２）。
【００４５】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明のブロックは、公知または周知のものが使用できる。本発明は、ＣＤＲおよび／またはＤＶＤＲについて述べているが、同様な記録媒体についても同様に実施できることはいうまでもないことである。
【符号の説明】
【００４６】
１１・・・サーバー端末装置
１１１・・・サーバー
１１２・・・パケット通信装置
１２・・・記録媒体販売端末装置
１２０・・・ネット接続用コネクタ
１２１・・・情報受信装置
１２２・・・情報記憶手段
１２３・・・バッファーメモリ
１２４・・・ＣＤＲ記録手段および／またはＤＶＤＲ記録手段
１２５・・・ＣＤＲ出力手段および／またはＤＶＤＲ出力手段
１２６・・・試聴手段
１２７・・・ＣＤＲスタックおよび／またはＤＶＤＲスタック
１２８・・・ＣＰＵ
１２９・・・ディスプレイ
１３１・・・決済手段
１３２・・・プリンター
【図１】
2011215755.tif 000003
【図２】
2011215755.tif 000004
【図３】
2011215755.tif 000005